(57)【要約】【解決手段】映像メッセージサービスを提供するためのシステムおよびその方法が開示される。この映像メッセージサービスを提供するためのシステムは、発信側移動端末機と映像呼を介して連結されると、着信側移動端末機の着信認証情報に応じて像映像呼を介して提供された映像データに基づいて、既に設定された大きさの映像メッセージを生成し、生成された映像メッセージを、着信側移動端末機の着信状態に応じて、既に設定された伝送方式を用いて伝送する映像メッセージセンターと、映像メッセージを伝送するための着信側移動端末機に対する認証手続きを行い、この認証手続きの結果に基づいた前記着信認証情報を映像メッセージセンターへ提供する認証サーバーとを含む。【選択図】図１
2010531607.tif 000002
【特許請求の範囲】
【請求項１】
発信側移動端末機と映像呼を介して接続されると、着信側移動端末機の着信認証情報に応じて前記映像呼を介して提供された映像データに基づいて、既に設定された大きさの映像メッセージを生成し、生成された前記映像メッセージを、前記着信側移動端末機の着信状態に応じて、既に設定された伝送方式を用いて伝送する映像メッセージセンターと、
前記映像メッセージを伝送するための前記着信側移動端末機に対する認証手続きを行い、その認証続きの結果に基づいた着信認証情報を前記映像メッセージセンターへ提供する認証サーバーとを含むことを特徴とする、映像メッセージサービスを提供するためのシステム。
【請求項２】
前記着信認証情報は、前記映像メッセージの受信可否に関する情報および前記映像メッセージの受信可能な大きさに関する情報の少なくとも一つを含むことを特徴とする、請求項１に記載の映像メッセージサービスを提供するためのシステム。
【請求項３】
前記着信状態は、前記映像メッセージを伝送するか否かを決定するための着信側移動端末機の待機状態、通話状態および受信不能状態のいずれか一つであることを特徴とする、請求項１に記載の映像メッセージサービスを提供するためのシステム。
【請求項４】
前記映像メッセージセンターは、前記着信側移動端末機の着信状態が待機状態であれば、生成された前記映像メッセージをアウトバウンドコール（ｏｕｔｂｏｕｎｄ  ｃａｌｌ）を介して前記着信側移動端末機へ伝送することを特徴とする、請求項１に記載の映像メッセージサービスを提供するためのシステム。
【請求項５】
前記映像メッセージセンターは、前記着信側移動端末機の着信状態が通話状態または受信不能状態であれば、生成された前記映像メッセージをＭＭＳ（Ｍｕｌｔｉｍｅｄｉａ  Ｍｅｓｓａｇｅ  Ｓｅｒｖｉｃｅ）メッセージを介して前記着信側移動端末機へ伝送することを特徴とする、請求項１に記載の映像メッセージサービスを提供するためのシステム。
【請求項６】
前記着信側移動端末機の着信状態に応じて前記映像メッセージセンターから前記映像メッセージの提供を受けると、提供された前記映像メッセージを含むＭＭＳメッセージを生成し、このＭＭＳメッセージを前記着信側移動端末機へ伝送するＭＭＳＣ（Ｍｕｌｔｉｍｅｄｉａ  Ｍｅｓｓａｇｅ  Ｓｅｒｖｉｃｅ  Ｃｅｎｔｅｒ）をさらに含むことを特徴とする、請求項１に記載の映像メッセージサービスを提供するためのシステム。
【請求項７】
前記映像メッセージセンターは、
前記発信側移動端末機と映像呼を介して接続されると、前記発信側移動端末機の発信認証情報を認証し、その認証結果に基づいて、既に設定された映像メッセージサービスシナリオを提供し、
前記映像メッセージサービスシナリオの提供後に、前記着信側移動端末機の着信認証情報に応じて、前記映像呼を介して提供された映像データに基づいて、既に設定された大きさの映像メッセージを生成し、
生成された前記映像メッセージを、前記着信側移動端末機の着信状態に応じて、既に設定された伝送方式を用いて伝送することを特徴とする、請求項１に記載の映像メッセージサービスを提供するためのシステム。
【請求項８】
前記発信認証情報は、前記映像メッセージサービスの支援有無を認証することが可能な前記発信側移動端末機のモデル名であることを特徴とする、請求項１に記載の映像メッセージサービスを提供するためのシステム。
【請求項９】
発信側移動端末機と映像呼を介して接続されると、着信側移動端末機の着信認証情報に応じて前記映像呼を介して提供された映像データに基づいて、既に設定された大きさの映像メッセージを生成し、生成された前記映像メッセージを、前記着信側移動端末機の着信状態に応じて、既に設定された伝送方式を用いて伝送する映像メッセージサーバーと、
前記発信側移動端末機ごとに、生成された前記映像メッセージをマッチングされるように格納し、これを管理するデータベースとを含むことを特徴とする、映像メッセージサービスを提供するためのシステム。
【請求項１０】
前記発信側移動端末機が無線または有線インターネットを介して接続されると、前記データベースに格納された前記映像メッセージを前記発信側移動端末機に提供する少なくとも一つのインターネットサーバーをさらに含むことを特徴とする、請求項９に記載の映像メッセージサービスを提供するためのシステム。
【請求項１１】
前記発信側移動端末機は、ホットキーおよび通話キー、またはホットキー、着信番号および通話キーを用いて前記映像メッセージサーバーに前記映像呼を接続することを特徴とする、請求項９に記載の映像メッセージサービスを提供するためのシステム。
【請求項１２】
前記発信側移動端末機は、前記ホットキー、着信番号および通話キーを用いて前記映像メッセージサーバーから提供する映像メッセージメールボックス内にある少なくとも一つの項目のうち、前記映像メッセージを録画／伝送するための項目に直ちに接続することを特徴とする、請求項１１に記載の映像メッセージサービスを提供するためのシステム。
【請求項１３】
前記発信側／前記着信側移動端末機は、前記映像呼を介して映像通話が可能な全ての装置であって、ＰＤＡ（Ｐｅｒｓｏｎａｌ  Ｄｉｇｉｔａｌ  Ａｓｓｉｓｔａｎｔｓ）、ノート型パソコンおよび携帯電話のいずれか一つであることを特徴とする、請求項９に記載の映像メッセージサービスを提供するためのシステム。
【請求項１４】
発信側移動端末機と映像呼を介して接続されると、着信側移動端末機の着信認証情報に応じて、接続された前記映像呼を介して映像データの提供を受ける段階と、
提供された前記映像データに基づいて、既に設定された大きさの映像メッセージを生成する段階と、
既に設定された大きさの生成された映像メッセージを、前記着信側移動端末機の着信状態に応じて、既に設定された伝送方式を用いて伝送する段階とを含むことを特徴とする、映像メッセージサービスを提供するための方法。
【請求項１５】
前記映像データの提供を受ける段階は、
前記発信側移動端末機と映像呼を介して接続すると、前記着信側移動端末機の認証情報を認証サーバーに要求する段階と、
前記認証サーバーから前記着信側移動端末機の認証情報を提供する段階と、
前記着信側移動端末機の認証情報に応じて、接続された前記映像呼を介して前記発信側移動端末機から所定の大きさの映像データを受信する段階とを含むことを特徴とする、請求項１４に記載の映像メッセージサービスを提供するための方法。
【請求項１６】
前記映像メッセージを伝送する段階は、
生成された前記映像メッセージを伝送するための前記着信側移動端末機の着信状態を認証する段階と、
認証された前記着信側移動端末機の着信状態に応じて、前記映像メッセージをアウトバウンドコールを介して前記着信側移動端末機へ伝送する段階とを含むことを特徴とする、請求項１４に記載の映像メッセージサービスを提供するための方法。
【請求項１７】
前記映像メッセージを伝送する段階は、
生成された前記映像メッセージを伝送するための前記着信側移動端末機の着信状態を認証する段階と、
認証された前記着信側移動端末機の着信状態に応じて前記映像メッセージをＭｕｌｔｉｍｅｄｉａ  Ｍｅｓｓａｇｅ  Ｓｅｒｖｉｃｅ  Ｃｅｎｔｅｒ（ＭＭＳＣ）に伝送する段階と、
前記ＭＭＳＣが、伝送された前記映像メッセージを含むＭＭＳメッセージを生成し、生成されたＭＭＳメッセージを前記着信側移動端末機へ伝送する段階とを含むことを特徴とする、請求項１４に記載の映像メッセージサービスを提供するための方法。
【請求項１８】
前記着信状態を認証する段階は、
前記着信側移動端末機に前記着信状態を要求する段階と、
前記着信側移動端末機から前記着信状態の提供を受ける段階とを含むことを特徴とする請求項１６に記載の映像メッセージサービスを提供するための方法。
【請求項１９】
前記発信側移動端末機と映像呼を介して接続すると、前記発信側移動端末機の発信認証情報を認証し、その認証結果に基づいて、既に設定された映像メッセージサービスシナリオを提供する段階と、
前記映像メッセージサービスシナリオの提供後に、前記着信側移動端末機の着信認証情報を認証サーバーに要求し、前記着信側移動端末機の着信認証情報の提供を受ける段階と、
提供された前記着信側移動端末機の着信認証情報に応じて、接続された前記映像呼を介して前記発信側移動端末機から映像データの入力を受ける段階とをさらに含むことを特徴とする、請求項１４に記載の映像メッセージサービスを提供するための方法。
【請求項２０】
前記既に設定された映像メッセージサービスシナリオは、
前記発信側移動端末機に設置されたアプリケーションまたはソフトウェアを介して提供できるサービス項目の数、サービス項目のディスプレイ方式、またはサービス項目間の転換方式のうち少なくとも一つが異なることを特徴とする、請求項１９に記載の映像メッセージサービスを提供するための方法。
【発明の詳細な説明】
【技術分野】
【０００１】
本発明は、映像メッセージサービスを提供するためのシステムおよびその方法に関する。
【背景技術】
【０００２】
移動端末機は、その機能が進歩するにつれて多様な機能が追加されている。特に、移動端末機のカメラ機能とマルチメディア再生機能は、高解像度のデジタルカメラ、ディスプレイ装置の改善、および超高速通信の実現によって継続的に発展してきた。
【０００３】
このような移動端末機は、既存の文字メッセージおよび音声メッセージだけでなく、超高速通信が可能となるにつれて、映像通信を含むマルチメディアサービス、例えばＶｏＤ（Ａｕｄｉｏ  ｏｎ  Ｄｅｍａｎｄ（ＡｏＤ）、Ｖｉｄｅｏ  ｏｎ  Ｄｅｍａｎｄ）などに相応する多様な映像データまたは映像メッセージの送受信、すなわち映像メッセージサービスが可能となった。
【０００４】
特に、移動端末機は、カメラを用いて自分の顔または所望の場面を撮影できるだけでなく、写真または動画像を撮影して相手の移動端末機へ即時伝送することもできる。このために、移動端末機はＭＭＳ（Ｍｕｌｔｉｍｅｄｉａ  Ｍｅｓｓａｇｅ  Ｓｅｒｖｉｃｅ）メッセージまたは電子メール（ｅ−ｍａｉｌ）を使用する。
【０００５】
ところが、ＭＭＳメッセージまたは電子メールに、既に格納された映像データを添付し、これを相手の移動端末機へ伝送しなければならず段階が複雑になるばかりでなく、添付しようとする既に格納された映像データを一々探さなければならないという使用上の不便さがあった。また、相手の移動端末機がこれを受信して再生することが可能な機種であるかどうかを確信することは難しい。
【０００６】
このような使用上の不便さを解消するために、簡便かつ効率的に映像メッセージサービスを提供することが可能なシステムおよびその方法に関する研究が続けられる必要がある。
【発明の概要】
【発明が解決しようとする課題】
【０００７】
そこで、本発明は、上述した従来の技術の問題点に鑑みてなされたもので、その目的は、通話キーを用いて映像メッセージサービスを提供する映像メッセージセンターに簡便に接続するため、映像メッセージサービスを用いるユーザの利便性を向上させることができるようにする映像メッセージサービスを提供するためのシステムおよびその方法を提供することにある。
【０００８】
本発明の他の目的は、映像メッセージを生成する前に、着信側移動端末機の認証を行い、その認証結果に基づいて、設定に応じた大きさの映像メッセージを生成することにより、映像メッセージの大きさを柔軟に調節することができるようにする映像メッセージサービスを提供するためのシステムおよびその方法を提供することにある。
【０００９】
本発明の別の目的は、映像メッセージを伝送する前に、着信側移動端末機の受信状態を認証し、その認証された着信状態に応じて生成された映像メッセージをアウトバウンドコールまたはＭＭＳメッセージを介して伝送することにより、映像メッセージを効率よく伝送することができるようにする映像メッセージサービスを提供するためのシステムおよびその方法を提供することにある。
【００１０】
本発明の別の目的は、映像メッセージセンターに接続した送信先の移動端末機の認証を行い、その認証結果に基づいて、互いに異なる映像メッセージサービスシナリオを提供することにより、移動端末機の機種を問わずに映像メッセージサービスを提供することができるようにする映像メッセージサービスを提供するためのシステムおよびその方法を提供することにある。
【課題を解決するための手段】
【００１１】
このために、本発明のある観点に係る映像メッセージサービスを提供するためのシステムは、発信側移動端末機と映像呼を介して接続されると、着信側移動端末機の着信認証情報に応じて前記映像呼を介して提供された映像データに基づいて、設定に応じた大きさの映像メッセージを生成し、生成された前記映像メッセージを、前記着信側移動端末機の着信状態により、設定に応じた伝送方式を用いて伝送する映像メッセージセンターと、前記映像メッセージを伝送するための前記着信側移動端末機の認証手続きを行い、その認証手続きの結果に基づいた着信認証情報を前記映像メッセージセンターへ提供する認証サーバーとを含むことができる。
【００１２】
本発明の他の観点に係る映像メッセージサービスを提供するためのシステムは、発信側移動端末機と映像呼を介して接続されると、着信側移動端末機の着信認証情報に応じて前記映像呼を介して提供された映像データに基づいて、設定に応じた大きさの映像メッセージを生成し、生成された前記映像メッセージを、前記着信側移動端末機の着信状態により、設定に応じた伝送方式を用いて伝送する映像メッセージサーバーと、同じような方式の前記発信側移動端末機用に生成された前記映像メッセージを格納し、これを管理するデータベースとを含むことができる。
【００１３】
本発明の別の観点に係る映像メッセージサービスを提供するための方法は、映像メッセージセンターが発信側移動端末機と映像呼を介して接続されると、着信側移動端末機の着信認証情報に応じて、接続された前記映像呼を介して映像データの提供を受ける段階と、提供された前記映像データに基づいて、設定に応じた大きさの映像メッセージを生成する段階と、設定に応じた大きさの生成された映像メッセージを、前記着信側移動端末機の着信状態により、設定に応じた伝送方式を用いて伝送する段階とをことができる。
【図面の簡単な説明】
【００１４】
【図１】本発明の一実施例に係るシステムの概略的な構成の一例を示す図である。
【図２】本発明の一実施例に係る映像メッセージサービスを提供する原理の一例を示す図である。
【図３】本発明の一実施例に係るサービス項目を表示する方法としての第１の例を示す図である。
【図４】本発明の一実施例に係るサービス項目を表示する方法としての第２の例を示す図である。
【図５】本発明の一実施例に係る映像メッセージサービスを提供する方法を示す第１のフローチャートである。
【図６】本発明の一実施例に係る映像メッセージサービスを提供する方法を示す第２のフローチャートである。
【図７】本発明の一実施例に係る映像メッセージメールボックスの一例を示す図である。
【発明を実施するための形態】
【００１５】
以下、本発明の一実施例に係る映像メッセージサービス（ｖｉｄｅｏ  ｍｅｓｓａｇｅ  ｓｅｒｖｉｃｅ）を提供するためのシステムおよびその方法を図１〜図７を参照して詳細に説明する。
【００１６】
本発明は、移動端末機の着信状態に応じて映像メッセージを効率よく提供することが可能な方法を提案する。すなわち、本発明は、発信側移動端末機の認証情報に応じて互いに異なる映像メッセージサービスシナリオを提供し、着信側移動端末機の着信状態に応じてアウトバウンドコール（ｏｕｔｂｏｕｎｄ  ｃａｌｌ）を介して、またはＭＭＳ（Ｍｕｌｔｉｍｅｄｉａ  Ｍｅｓｓａｇｅ  Ｓｅｒｖｉｃｅ）メッセージを使って、映像メッセージを選択的に移動端末機へ伝送することができる。
【００１７】
図１は、本発明の一実施例に係るシステムの概略的な構成の一例を示す図である。
【００１８】
図１に示すように、本発明に係る映像メッセージサービスシステムは、発信側移動端末機１１０、映像メッセージセンター１２０、認証サーバー１３０、ＭＭＳＣ（Ｍｕｌｔｉｍｅｄｉａ  Ｍｅｓｓａｇｅ  Ｓｅｒｖｉｃｅ  Ｃｅｎｔｅｒ）１４０、および着信側移動端末機１５０を備える。
【００１９】
発信側移動端末機１１０は、「ホットキー＋通話キー」または「ホットキー＋着信番号＋通話キー」を用いて映像メッセージサービスを提供する映像メッセージセンター１２０に映像呼により接続することができる。
【００２０】
映像メッセージセンター１２０は、データベース１２１、映像メッセージサーバー１２２、第１インターネットサーバー１２３、および第２インターネットサーバー１２４を含むことができる。
【００２１】
データベース１２１は、生成された映像メッセージだけでなく、受信された映像メッセージを発信側／着信側移動端末機に応じて格納し、これを管理することができる。
【００２２】
映像メッセージサーバー１２２は、発信側移動端末機１１０と映像呼を介して接続すると、発信側移動端末機の認証情報（以下、「発信認証情報」という）に応じて、互いに異なる映像メッセージサービスシナリオを提供し、以後、着信側移動端末機１５０の認証情報（以下、「着信認証情報」という）に応じて、接続された映像呼を介して発信側移動端末機１１０から所定の映像データの提供を受けることができる。
【００２３】
ここで、映像メッセージサービスシナリオは、映像メッセージの録画、伝送、再生、編集などの機能を意味することができる。また、発信認証情報は、映像メッセージサービスの支援の有無を認証することが可能な発信側移動端末機のモデル名などを意味し、着信認証情報は、着信側移動端末機１５０の機能または性能に関する情報であって、映像メッセージの受信可否および映像メッセージの受信可能な大きさなどを意味することができる。
【００２４】
映像メッセージサーバー１２２は、提供された映像データに基づいて、設定に応じた大きさの映像メッセージを生成することができる。よって、映像メッセージサーバー１２２は、生成された映像メッセージを、着信側移動端末機の着信状態に応じて、設定に応じた方式を用いて伝送することができる。
【００２５】
第１インターネットサーバー１２３は、発信側移動端末機が無線インターネットを介して接続されると、データベース１２１に格納された映像メッセージを発信側移動端末機に提供することができる。
【００２６】
第２インターネットサーバー１２４は、発信側移動端末機が有線インターネットを介して接続されると、データベース１２１に格納された映像メッセージを発信側移動端末機に提供することができる。
【００２７】
ここで、第１インターネットサーバー１２３と第２インターネットサーバー１２４は、ユーザがこれらにアクセスしたときに、格納された映像メッセージの再生、編集及び伝送を可能にする。第１インターネットサーバー１２３と第２インターネットサーバー１２４とは、有線／無線インターネットサービスに合わせて物理的にそれぞれ別個に存在するように実現できるが、一つのインターネットサーバーとしても実現できる。
【００２８】
認証サーバー１３０は、映像メッセージを生成する前に、このような映像メッセージを送受信が行われる発信側移動端末機１１０および着信側移動端末機１５０に対する認証手続きを行い、その認証手続きの結果に基づいた発信／着信認証情報を映像メッセージセンター１２０へ提供することができる。
【００２９】
ＭＭＳＣ１４０は、着信側移動端末機の着信状態に応じて、映像メッセージセンターから生成された映像メッセージの提供を受けることができる。よって、ＭＭＳＣ１４０は、提供された映像メッセージを含む所定のＭＭＳメッセージを生成し、生成されたＭＭＳメッセージを着信側移動端末機１５０へ伝送することができる。
【００３０】
着信側移動端末機１５０は、映像メッセージを受信し、これを再生することができる。
【００３１】
ここで、発信側／着信側移動端末機は、映像通話が可能な全ての装置であって、ＰＤＡ（Ｐｅｒｓｏｎａｌ  Ｄｉｇｉｔａｌ  Ａｓｓｉｓｔａｎｔｓ）、ノート型パソコン、および携帯電話などを含む概念である。
【００３２】
このように、本発明は、通話キーを用いて映像メッセージサービスを提供する映像メッセージセンターに簡便に接続し、これにより映像メッセージを録画して伝送するので、映像メッセージサービスを用いるユーザの便利性を向上させることができる。
【００３３】
また、本発明は、映像メッセージを生成する前に、これを受信する着信移動端末機の着信認証情報を受け取り、これにより既に設定された大きさの映像メッセージを生成または録画するので、流動的に映像メッセージの大きさを調節することができる。
【００３４】
図２は、本発明の一実施例に係る映像メッセージサービスを提供する原理の一例を示す図である。
【００３５】
図２に示すように、ユーザがホットキー＋通話キーまたはホットキー＋着信番号＋通話キーを押すと、発信側移動端末機は、映像呼を要求するための映像呼要求メッセージを生成し、生成された映像呼要求メッセージを映像メッセージセンターへ伝送することができる（Ｓ２１０）。
【００３６】
映像メッセージセンターは映像呼要求メッセージを受信することができる。映像メッセージセンターは、受信された映像呼要求メッセージに対する応答として映像呼応答メッセージを生成し、生成された映像呼応答メッセージを発信側移動端末機へ伝送することができる（Ｓ２１２）。したがって、発信側移動端末機と映像メッセージセンターとの間に映像呼が接続できる。
【００３７】
映像メッセージセンターは、映像呼が接続されると、発信番号に対応する発信認証情報を要求するための認証情報要求メッセージを生成し、生成された認証情報要求メッセージを認証サーバーへ伝送することができる（Ｓ２２０）。
【００３８】
認証サーバーは、認証情報要求メッセージに基づいて発信側移動端末機に対する認証手続きを行い、その認証手続きの結果による認証情報を含む認証情報応答メッセージを生成し、生成された認証情報応答メッセージを映像メッセージセンターへ伝送することができる（Ｓ２２２）。
【００３９】
映像メッセージセンターは、認証情報応答メッセージを受信することができる。映像メッセージセンターは、受信された認証応答メッセージに含まれた発信認証情報、例えば、モデル名などに応じて、互いに異なる映像メッセージシナリオを発信側移動端末機に提供することができる（Ｓ２３０）。
【００４０】
例えば、映像メッセージセンターは、映像通話が可能な移動端末機のモデル名に応じて映像メッセージサービスを提供するためのアプリケーションまたはソフトウェアが内蔵された移動端末機には、録画／伝送、送信済み映像ボックス、受信映像ボックスおよび利用案内などのサービス項目を含む第１映像メッセージサービスシナリオを提供し、前記アプリケーションまたはソフトウェアが内蔵されていない移動端末機には、録画／伝送などの一部制限されたサービス項目のみを含む第２映像メッセージサービスシナリオを提供することができる。
【００４１】
この際、互いに異なる映像メッセージサービスシナリオを区分する基準は、サービス項目の数に限定されず、別途のアプリケーションまたはソフトウェアを介して提供できる多様な要因、例えばサービス項目のディスプレイ方式またはこれらサービス項目間の転換方式などが適用できる。次に、サービス項目のディスプレイ方式を図３および図４を参照して説明する。
【００４２】
図３は、本発明の一実施例に係るサービス項目を表示する方法としての第１の例を示す図である。
【００４３】
図３に示すように、アプリケーションまたはソフトウェアが内蔵された発信側移動端末機は、映像画面と共に１）録画、２）利用案内、３）伝送などの画面を提供し、使用者によって２）利用案内が選択されるか或いは録画が終わると、該当画面の大きさが大きくなることが分かるが、これは内蔵されたアプリケーションまたはソフトウェアを介して支援できる。
【００４４】
図４は、本発明の一実施例に係るサービス項目を表示する方法としての第２の例を示す図である。
【００４５】
図４に示すように、アプリケーションまたはソフトウェアが内蔵されていない発信側移動端末機は、映像画面と共に録画の１）開始、２）終了および３）伝送などの画面を提供するが、画面の変化なしで映像通話時の画面そのまま映像メッセージサービスを録画して伝送することができることが分かる。
【００４６】
このように内蔵されたアプリケーションまたはソフトウェアに基づいて、映像メッセージサービスシナリオ内にある各サービス項目に応じて異なる形態のユーザインターフェース（ＵＩ）などを提供する自社の移動端末機だけでなく、そうでない自社および他社の異なる機種の移動端末機にも基本的な映像メッセージサービスを提供するために、本発明は、別途の映像メッセージサービスシナリオを提供することができる。
【００４７】
このように、本発明は、映像メッセージセンターに接続した発信側移動端末機に対する認証を行い、その認証結果に応じて互いに異なる映像メッセージサービスシナリオを提供するので、移動端末機の機種を問わずに映像メッセージサービスを提供することができる。
【００４８】
この際、映像メッセージセンターは、発信認証情報を認証サーバーに要求してこの認証サーバーから提供を受けることもでき、発信側移動端末機から直接提供を受けることもできる。
【００４９】
また、本発明は、着信側移動端末機の着信状態に応じてアウトバウンドコールまたはＭＭＳメッセージを介して映像データを伝送するが、着信状態は映像メッセージの伝送有無を決定するための着信側移動端末機の待機状態、通話状態、および受信不能状態を意味することができる。これを図５および図６を参照してそれぞれ区分して説明する。
【００５０】
図５は、本発明の一実施例に係る映像メッセージサービスを提供する方法を示す第１のフローチャートである。
【００５１】
図５に示すように、発信側移動端末機が映像メッセージセンターと映像呼を介して接続されると、映像メッセージサービスシナリオの提供を受ける（Ｓ５１０）。よって、発信側移動端末機は着信側移動端末機の着信番号の入力をユーザから受けることができる。発信側移動端末機は、入力された着信側移動端末機の着信番号を映像メッセージセンターへ提供することができる（Ｓ５２１）。
【００５２】
映像メッセージセンターは、着信番号の提供を受け、提供された着信番号に相応する着信側移動端末機の着信認証情報を要求するための認証情報要求メッセージを生成し、生成された認証情報要求メッセージを認証サーバーへ伝送することができる（Ｓ５２２）。
【００５３】
認証サーバーは、認証情報要求メッセージを受信すると、着信側移動端末機に対する認証手続きを行うことができる。よって、認証サーバーは、その認証手続きの結果に基づいて、着信側移動端末機の着信認証情報を含む認証情報応答メッセージを生成し、生成された認証情報応答メッセージを映像メッセージセンターへ伝送することができる（Ｓ５２３）。
【００５４】
このため、映像メッセージセンターは、認証情報応答メッセージを受信し、受信された認証情報応答メッセージに含まれた着信認証情報を発信側移動端末機へ案内文句と共に提供することができる（Ｓ５２４）。
【００５５】
この際、前記案内文句は、着信認証情報に応じて、例えば「受信する方の移動端末機は４０秒の映像メッセージを受信することができます。」または「受信する方の移動端末機は映像メッセージサービスを支援しません。」などの語句を使用することができる。
【００５６】
発信側移動端末機は、案内文句に基づいて、カメラを介して撮影される映像データを、接続された映像呼を介して映像メッセージセンターに即時に伝送することができる（Ｓ５３０）。
【００５７】
映像メッセージセンターは、発信側移動端末機から映像データを受信することができる。すなわち、映像メッセージセンターは、受信された映像データを録画し、着信側移動端末機の着信認証情報に対応する既に設定された大きさの映像メッセージを生成することができる（Ｓ５４０）。
【００５８】
映像メッセージセンターは、生成された映像メッセージを着信側移動端末機の着信状態に応じて伝送することができる。このために、映像メッセージセンターは、着信状態を要求するための着信状態要求メッセージを生成し、生成された着信状態要求メッセージを着信側移動端末機に伝送することができる（Ｓ５５１）。
【００５９】
着信側移動端末機は、着信状態要求メッセージを受信することができる。着信側移動端末機は、受信された着信状態要求メッセージに対する応答として、自分の着信状態、例えば待機状態または通話状態を知らせるための着信状態応答メッセージを生成し、生成された着信状態応答メッセージを映像メッセージセンターへ伝送することができる（Ｓ５５２）。
【００６０】
この際、映像メッセージセンターは、着信側移動端末機から何の応答も受けなければ、着信側移動端末機が受信不能状態にあると判断することもできる。
【００６１】
映像メッセージセンターは、着信状態応答メッセージを受信することができる。映像メッセージセンターは、着信状態応答メッセージに基づいて着信側移動端末機の着信状態を認証することができる。着信側移動端末機の着信状態が待機状態であれば、映像メッセージセンターは着信側移動端末機にアウトバウンドコールを要求するためのアウトバウンドコール要求メッセージを生成し、生成されたアウトバウンドコール要求メッセージを着信側移動端末機へ伝送することができる（Ｓ５６１）。
【００６２】
着信側移動端末機は、アウトバウンドコール要求メッセージを受信することができる。着信側移動端末機は、これに対する応答としてアウトバウンドコール応答メッセージを生成し、生成されたアウトバウンドコール応答メッセージを映像メッセージセンターへ伝送することができる（Ｓ５６２）。
【００６３】
これにより、映像メッセージセンターと着信側移動端末機との間にアウトバウンドコールが接続できる。
【００６４】
最終的に、映像メッセージセンターは、生成された映像メッセージをアウトバウンドコールを介して着信側移動端末機へ伝送することができる（Ｓ５７０）。着信側移動端末機は、受信された映像メッセージを即時に再生することができる。
【００６５】
図６は、本発明の一実施例に係る映像メッセージサービスを提供する方法を示す第２のフローチャートである。
【００６６】
この際、映像メッセージセンターが着信側移動端末機の着信状態を認証する以前の過程は、図５で説明した内容と同様なので、以下では省略する。
【００６７】
図６に示すように、着信側移動端末機の着信状態が通話状態または受信不能状態であれば、映像メッセージセンターは生成された映像メッセージをＭＭＳＣに伝送することができる（Ｓ６６０）。
【００６８】
ＭＭＳＣは映像メッセージセンターから映像メッセージを受信することができる。ＭＭＳＣは、受信された映像メッセージに基づいて、これを含む所定のＭＭＳメッセージを生成することができる（Ｓ６７０）。
【００６９】
最終的に、ＭＭＳＣは、生成されたＭＭＳメッセージを着信側移動端末機へ伝送することができる（Ｓ６８０）。着信側移動端末機は、受信されたＭＭＳメッセージを介して映像メッセージを認証することができる。
【００７０】
上述したように、本発明は、映像メッセージを伝送する前に、着信移動端末機の着信状態を認証し、その着信状態に応じて、生成された映像メッセージをアウトバウンドコールまたはＭＭＳメッセージを介して伝送するため、映像メッセージを効率よく伝送することができる。
【００７１】
このような映像メッセージサービスを提供するために、映像メッセージセンターは、加入者ごとに映像メッセージサービスシナリオまたは映像メッセージメールボックスを構築し、これを提供することができる。このように提供される映像メッセージメールボックスに対応する多様なメニューについて図７を参照して説明する。
【００７２】
図７は、本発明の一実施例に係る映像メッセージメールボックスの一例を示す図である。
【００７３】
図７に示すように、映像メッセージセンターから提供する映像メッセージメールボックスは、録画／伝送、送信済み映像ボックス、受信映像ボックス、および利用案内項目などを含むことができる。
【００７４】
移動端末機は、ホットキー＋着信番号＋通話キーを用いて録画／伝送項目に直ちに接続することができる。このような録画／伝送項目は、例えば、着信番号認証、伝送、録画内容認証、再録画、利用案内、映像メッセージメールボックスなどを含むことができる。
【００７５】
これに対し、移動端末機は、ホットキー＋通話キーを用いて映像メッセージメールボックスに接続することができる。
【００７６】
この際、映像メッセージメールボックスから提供される多様なメニューは、これに相応する所定の案内文句と共に、映像メッセージメールボックスを用いる移動端末機に提供できる。
【００７７】
本発明に係る映像メッセージサービスを提供するためのシステムおよびその方法は、本発明の技術的思想の範囲内で多様な形態に変形、応用可能であり、前記実施例に限定されない。また、前記実施例と図面は、発明の内容を詳細に説明するためのものに過ぎず、発明の技術的思想の範囲を限定するものではない。以上説明した本発明は、本発明の属する技術分野における通常の知識を有する者であれば、本発明の技術的思想を逸脱しない範囲内で多様な置換、変形および変更が可能なので、前記実施例および図面に限定されず、後述する請求の範囲だけでなく、請求の範囲と均等な範囲を含んで判断されるべきである。
【符号の説明】
【００７８】
１１０    着信側移動端末機
１２０    映像メッセージセンター
１２１    データベース
１２２    映像メッセージサーバー
１２３    第１インターネットサーバー
１２４    第２インターネットサーバー
１３０    認証サーバー
１４０    ＭＭＳＣ
１５０    着信側移動端末機
【図１】
2010531607.tif 000003
【図２】
2010531607.tif 000004
【図３】
2010531607.tif 000005
【図４】
2010531607.tif 000006
【図５】
2010531607.tif 000007
【図６】
2010531607.tif 000008
【図７】
2010531607.tif 000009
【国際調査報告】
2010531607.tif 000010
2010531607.tif 000011